(57)【要約】【課題】  トレイガイドに代表される搬送補助装置によらず、記録媒体または記録媒体を載置して搬送されるトレイ等の搬送物、搬送されるものの種類に応じて最適な排紙をすることが可能な記録装置の提供。【解決手段】  ＣＤ−Ｒ印刷用のトレイ等、拍車で排紙出来ないものと、通常の用紙と検知して、拍車か、定位置にあるローラかの排紙手段を変更することを特徴とする記録装置。【選択図】        図１
2007055695.tif 000002
【特許請求の範囲】
【請求項１】
給紙部と排紙部と記録部を持ち、少なくも２つ以上の排紙手段を有する記録装置において、記録媒体または記録媒体を載置してなる搬送体の種類を検知して排紙手段を変えることが出来ることを特徴とする記録装置。
【請求項２】
前記排紙手段は排紙ローラに対抗して摩擦力を与えるために設けられた拍車またはトレイローラであることを特徴とする請求項１に記載の記録装置。
【請求項３】
前記記録媒体または記録媒体を載置してなる搬送体の種類は、記録媒体または記録媒体を載置してなる搬送体の厚みであることを特徴とする請求項１に記載の記録装置。
【請求項４】
前記排紙手段は排紙ローラに対抗して摩擦力を与えるために設けられた拍車またはトレイローラであることを特徴とする請求項３に記載の記録装置。
【請求項５】
前記記録媒体または記録媒体を載置してなる搬送体の種類は、記録媒体または記録媒体を載置してなる搬送体の幅であることを特徴とする請求項１に記載の記録装置。
【請求項６】
前記排紙手段は排紙ローラに対抗して摩擦力を与えるために設けられた拍車またはトレイローラであることを特徴とする請求項５に記載の記録装置。
【請求項７】
前記記録媒体または記録媒体を載置してなる搬送体の種類を検知の手段が搬送ローラに押圧しているピンチローラの位置を検知することで厚みを検知することを特徴とする請求項３に記載の記録装置。
【請求項８】
前記排紙手段は排紙ローラに対抗して摩擦力を与えるために設けられた拍車またはトレイローラであることを特徴とする請求項７に記載の記録装置。
【請求項９】
前記記録手段はインクジェット記録手段であることを特徴とする請求項１から８のいずれかに記載の記録装置。
【発明の詳細な説明】
【技術分野】
【０００１】
本発明は、記録手段と給紙装置および排紙装置を有する記録装置に関する。
【背景技術】
【０００２】
従来の記録装置においては、搬送する記録媒体により搬送手段、特に排紙手段をあらかじめ変えていた。すなわちＣＤ−Ｒ等に記録するときには記録する媒体をトレイに載置したのち搬送される。ＣＤ−Ｒメディアを印刷しようとした場合、トレイの位置決め保持および搬送補助部材としてトレイガイドを記録装置にセットする。トレイガイドの設置動作により拍車は上方に移動、記録媒体から離間する。
【０００３】
これはＣＤ−Ｒ等の記録媒体に傷がつくのを防止する目的である。しかしながら拍車が上方に退避すると排紙ローラへの圧接力がなくなり排紙ローラとトレイとの摩擦力が現象するため排紙が正常に行われない。またトレイはプラスチックで構成されることが多く、通常の記録用紙に比べ摩擦係数が低く、摩擦力が得られにくい。これらの理由から排紙ローラにトレイを押し付けて確実に搬送力を出す為に、記録されたＣＤ−Ｒ以外のトレイの部位に押し付けトレイローラを圧接することでトレイと排紙ローラの間で摩擦力が発生してトレイを搬送させていた。
【０００４】
さてこの動作はＣＤ−Ｒを傷から保護し、保持、搬送する為にＣＤ−Ｒトレイが必要で、トレイをガイドするためのトレイガイドに装着して印刷が行われていた。すなわちトレイガイドの装着またはトレイガイドの設定を行ったとき拍車を離間させていた。また印字中および排紙時にも同様拍車は離間させ、トレイローラをトレイを押しつけるようにトレイローラが下降し、排紙ローラとトレイ間の摩擦によりトレイが搬送、排出される。
【特許文献１】特開２００５−１１１６６３号公報
【発明の開示】
【発明が解決しようとする課題】
【０００５】
上記従来例のトレイガイドを必要とするトレイの搬送においては、必ずトレイガイドによる排紙手段の変更が可能であった。
【０００６】
しかしながら、トレイガイドを必要としないトレイ、またはトレイ自体を内蔵する記録装置においては記録媒体による排紙手段を変えるトリガーを失うという課題があった。
【０００７】
そこで、本発明は上記課題に鑑みてなされたものであり、その目的とするところは、トレイガイドに代表される搬送補助装置によらず、記録媒体または記録媒体を載置して搬送されるトレイ等の搬送物、搬送されるものの種類に応じて最適な排紙をすることが可能な記録装置を提供することである。
【課題を解決するための手段】
【０００８】
上記目的を達成するための、本発明に係る第１の構成は、記録媒体または記録媒体を載置してなる搬送体の種類を紙種判別センサ等の検知手段を持つ。紙などの記録媒体かトレイ等の補助搬送体かを判別して排紙ローラへの圧接力を拍車で行うかトレイローラで行うか等の複数の排紙手段の中から最適な排紙手段を選択する。選択された排紙手段に合わせた装置を排紙通路に移動させることで最適な排紙手段で排紙されることを特徴とする。
【０００９】
また、本発明に係る第２の構成は、記録媒体または記録媒体を載置してなる搬送体の厚みを記録媒体の通路に設けたレバーを設けレバーの移動量をセンスする等して、厚みを検知する。こうして紙などの記録媒体かトレイ等の補助搬送体かを判別して排紙ローラへの圧接力を拍車で行うかトレイローラで行うか等の複数の排紙手段の中から最適な排紙手段を選択することを特徴とする。
【００１０】
また本発明に係る第３の構成はあらかじめ記録媒体の搬送体の幅を通常の記録媒体の幅より大きくしておく。こうして記録媒体または記録媒体を載置してなる搬送体の幅を通常の記録媒体の幅の外側に設けられた透過型センサ等で検知し記録媒体か搬送体かを判別して紙などの記録媒体かトレイ等の補助搬送体かを判別する。こうして排紙ローラへの圧接力を拍車で行うかトレイローラで行うか等の複数の排紙手段の中から最適な排紙手段を選択することを特徴とする。
【００１１】
また本発明に係る第４の構成は搬送ローラに記録媒体または搬送体を圧接して搬送力を得るためのピンチローラの搬送中の位置をセンスして搬送物の厚みを検知して記録媒体か搬送体かを判別する。こうして排紙ローラへの圧接力を拍車で行うかトレイローラで行うか等の複数の排紙手段の中から最適な排紙手段を選択することを特徴とする。
【００１２】
本発明によれば、安価な構成で、印刷精度を損なうことなく、かつ、記録シート後端まで記録した記録シートを排出方向上流側にも搬送することが可能な記録装置を提供することができる。
【００１３】
すなわち、本発明の技術内容は以下の構成を備えることにより前記課題を解決できた。
【００１４】
（１）給紙部と排紙部と記録部を持ち、少なくも２つ以上の排紙手段を有する記録装置において、記録媒体または記録媒体を載置してなる搬送体の種類を検知して排紙手段を変えることが出来ることを特徴とする記録装置。
【発明の効果】
【００１５】
本発明によれば、通常の紙等の記録媒体と記録媒体を載置してなる搬送体の区別をユーザが意識することなく最適な排紙性を実現することが可能となる。
【００１６】
また、ＰＣ等からの印刷におけるホストからの指示により排紙手段が変更することも可能だが、ユーザの操作ミスにより正しい記録媒体を指示しなくてもデータが格納されたＣＤ−Ｒを拍車で傷つけるなどして記録媒体の破壊を防ぐ効果も持つ。
【発明を実施するための最良の形態】
【００１７】
以下、本発明の実施の形態について図面を参照して説明する。
【００１８】
（第１の実施の形態）
本発明の記録装置の第１の実施の形態について説明する。
【００１９】
図１は、本発明の第１の実施の形態であるインクジェット記録装置の記録部の要部を装置の斜め上側から表した斜視図、図２は記録部の模式的断面図である。
【００２０】
図１において、本実施形態の記録装置は、紙やフィルムなどの記録シートＰを給紙装置２に積載される。給紙装置からは記録シートＰを分離して給紙ローラ２１により搬送ローラ３へと給送される。
【００２１】
搬送手段である搬送ローラ３と、記録シートＰを記録装置外へ排出する排出手段である排紙ローラ４と、搬送ローラ３と排紙ローラ４の間で記録シートＰを支持するプラテン３４と、プラテン３４と対向して配置され、インク滴を吐出して記録を行う記録手段であるインクジェット記録ヘッド７と、インクジェット記録ヘッド７を着脱可能に支持し、かつ記録シートＰの搬送方向と交差する方向に移動するキャリッジ５とを備える。
【００２２】
搬送ローラ３にピンチローラ３１が不図示のピンチローラバネの付勢力によって押圧され、搬送ローラ３の回転に従動回転して記録シートＰに対する搬送力を発生させている。
【００２３】
排紙ローラ４に拍車４２が、拍車ホルダ４３に取り付けられた、不図示のバネ軸の付勢力によって押圧されており、排紙ローラ４の回転に従動回転して記録シートＰに対する搬送力を発生させている。
【００２４】
図４は排紙部の詳細を排紙側から見た斜視図である。
【００２５】
排紙ローラは詳細には、排紙ローラ上流４０と排紙ローラ下流４１の前後に２本配置される。
【００２６】
排紙ローラ上流４０と排紙ローラ下流４１のそれぞれに拍車４２が、不図示のバネ軸により付勢されている。バネ軸は拍車ホルダに取り付けられており、拍車４２も拍車ホルダ４３により位置決めされている。
【００２７】
本実施例の基本動作と基本構成について以下に説明する。
【００２８】
本実施例のインクジェット記録装置においては、いわゆるフロントローディングと呼ばれる通常の排紙側からも記録媒体を給紙することが出来る。
【００２９】
また、記録媒体の種類の中でも通常の紙と同じようにＣＤ−Ｒを記録媒体として印字することが可能である。ＣＤ−Ｒ印刷においては、被記録媒体であるＣＤ−Ｒ（不図示）はＣＤ−Ｒトレイ１に取り付けて印刷を行う。図３に示すように、ＣＤ−Ｒトレイ１は紙等の記録媒体に比較して厚みが約３ｍｍと厚く出来ている。
【００３０】
このとき、ＣＤ−Ｒトレイ１の給送手段は２対の排紙ローラ４０，４１を駆動源としている。記録媒体として紙が使用される時には拍車４２が記録媒体を排紙ローラ４０，４１に付勢している。
【００３１】
しかしながら拍車４２がＣＤ−Ｒに接すると容易く傷が付き、ＣＤ−Ｒを破壊してしまう。
【００３２】
そこで、ＣＤ−Ｒには当接せずにＣＤ−Ｒトレイ１にのみ当接する位置にトレイローラ８０を配置しておく。またこのトレイローラ８０はトレイローラホルダ８１及び、トレイローラ軸８２により軸支されている（図５参照）。トレイローラホルダ８１は拍車ベース４３にトレイローラホルダの軸部８１ａを回転中心に回動自在に軸支されている（図６参照）。
【００３３】
図７に示されるように、トレイローラホルダ８１は拍車ベース４３にホルダばね８３により、上方向に付勢されている。こうしてＣＤ−Ｒを印刷しない時にはトレイローラ８０は拍車ベース４３の中に格納されている。
【００３４】
ＣＤ−Ｒを印刷する時には、図８に示される位置まで拍車ベース４３が上方向に移動する。しかしコロホルダーステイ４４は本体のシャーシ等に固定されて移動しない。よってトレイローラホルダ８１に設けられた軸部８１ａがローラホルダステイ４４に当接する。ローラホルダ８１の回転中心８１ｂは上昇した拍車ベース４３に軸支されているため、ローラホルダ８１は回転してトレイローラ８０は拍車ベース４３の下方に押し下げられる。
【００３５】
ＣＤ−Ｒトレイ１は排紙ローラ４０、４１と図７の位置に押し下げられたトレイローラ８０に挟まれ、ＣＤ−Ｒトレイ１は排紙ローラ４０、４１に押し付けられ、排紙ローラ４０、４１との摩擦力で搬送される。
【実施例１】
【００３６】
本発明第１の実施例は上述した基本構成と動作に加え、以下の検知システムを備える。
【００３７】
キャリヤ５にはヘッドの吐出ずれを補正する為のセンサ５１が搭載されている。
【００３８】
前記補正用センサ５１は光学式で発光素子と受光素子で構成されている。
【００３９】
キャリヤ５は挿入された記録媒体をキャリヤシャフト５２に沿ってスキャンする。紙等の記録媒体は通常白色をしており反射率が高い。これに対しＣＤ−Ｒトレイ１は黒色をしており、左右両サイドに銀テープを貼ってある。補正用センサ５１はキャリヤスキャン時にこれを読み取り、通常の記録媒体かＣＤ−Ｒトレイ１であるかを判別する。
【００４０】
ＣＤ−Ｒトレイと判別した場合には上述したように拍車ベース４３を上昇させ、トレイローラ８０による排紙動作を行う。
【実施例２】
【００４１】
本発明の第２の実施例では、搬送ローラ３とピンチローラ３１より後方で、記録媒体の厚みを測定する。すなわち記録媒体の経路上に不図示のレバーを配置し、記録媒体によりレバーが回転する構成にする。レバー比の動作によりある閾値を超えてレバーが回転した場合に遮光する位置に不図示の透過型光学式センサを設置する。通常の紙は０．２ｍｍ程度の厚みであり、ＣＤ−Ｒトレイ１の厚みは３ｍｍと充分に違いが有る為、閾値は約１ｍｍに設定する。
【００４２】
こうして記録媒体の厚みが１ｍｍを超えるものを検知した場合にはＣＤ−Ｒトレイ１が挿入されたものと判別してＣＤ−Ｒトレイ１用の排紙動作を行う。
【実施例３】
【００４３】
本発明の第３の実施例では、通常の印字可能な紙サイズよりも幅が広いＣＤ−Ｒトレイ１を設ける。搬送ローラ３とピンチローラ３１より後方に不図示の透過型の光学センサを配置する。このセンサを遮光した場合にはＣＤ−Ｒトレイが挿入されたと判別してＣＤ−Ｒトレイの為のトレイローラ８０を使った排紙動作を行う。
【実施例４】
【００４４】
本発明の第４の実施例では、実施例の２と同様に記録媒体及びその搬送補助部材の厚みを検知するシステムである。但しこの実施例の特徴はピンチローラ３１を回動可能に保持するピンチローラホルダ３２の位置により、その厚みを検知することに特徴がある。
【００４５】
記録媒体をフロントローディングで挿入される時はピンチローラ３１は搬送ローラ３から離間されており記録媒体が挿入される。印字命令が来て、ピンチローラホルダ３２は搬送ローラ３に圧接される。このとき搬送ローラ３とピンチローラ３１により記録媒体は挟み込まれる。記録媒体の厚みより、ピンチローラホルダの回転角が違う。ピンチローラホルダ３２には不図示の遮光レバーが設けられており、かつレバーの回転範囲には不図示の透過型光学センサを配置する。ＣＤ−Ｒトレイ１などの厚みのある記録媒体の場合、レバーも大きく回転し、透過型光学センサを遮光する。
【００４６】
こうしてＣＤ−Ｒトレイと判別された場合には、前記同様に拍車ベースを上昇させて、トレイコロによる排紙を行う。
【００４７】
以上述べてきたように、各種の検知手段をもって通常の記録媒体及び記録媒体の搬送補助部材等の搬送体の種類を判別して最適な排紙ローラ４への押し付け部材を出し入れすることで、確実な搬送、排紙を実現出来る。
【図面の簡単な説明】
【００４８】
【図１】本発明の第１の実施の形態であるインクジェット記録装置の記録部の要部を装置の斜め上から見た斜視図である。
【図２】本発明の第１の実施の形態において、インクジェット記録装置の記録部の要部を示した模式的断面図である。
【図３】本発明の第１の実施の形態において、ＣＤ−Ｒを搬送する為の搬送補助部材の斜視図である。
【図４】本発明の第１の実施の形態において、通常記録媒体として紙の排紙されるところを排紙部側から見た斜視図である。
【図５】本発明の第１の実施の形態において、ＣＤ−Ｒの搬送補助部材と共に排紙されるところを排紙部側から見た斜視図である。
【図６】本発明の第１の実施の形態において、通常の紙を印刷している時の拍車ベース、トレイコロの位置を示す斜視図である。
【図７】本発明の第１の実施の形態において、通常の紙を印刷している時の拍車ベース、コロホルダ、トレイコロの位置を示す断面図である。
【図８】本発明の第１の実施の形態において、ＣＤ−Ｒを搬送するときの拍車ベース、コロホルダ、トレイコロの位置を示す断面図である。
【符号の説明】
【００４９】
１          ＣＤ−Ｒトレイ
２          給紙装置
３          搬送ローラ
５          キャリヤ
７          インクジェット記録ヘッド
３４        プラテン
４０、４１  排紙ローラ
４２        拍車
４３        拍車ベース
８０        トレイローラ
８１        ローラホルダ
Ｐ          記録シート
【図１】
2007055695.tif 000003
【図２】
2007055695.tif 000004
【図３】
2007055695.tif 000005
【図４】
2007055695.tif 000006
【図５】
2007055695.tif 000007
【図６】
2007055695.tif 000008
【図７】
2007055695.tif 000009
【図８】
2007055695.tif 000010